(57)【要約】【課題】鍵の操作が容易で、未使用鍵と使用済鍵を区別できるキーホルダーを提供する。【解決手段】キーホルダー１０は、柔軟なワイヤー１と円筒状のゴムブッシュ２を備える。ワイヤー１は、始端部と終端部を着脱自在に連結できる。又、ワイヤー１は、複数の鍵１ｋの順序を変えることなく、複数の鍵１ｋを移動自在に保持できる。ゴムブッシュ２は、ワイヤー１の中間部に取り付けている。又、ゴムブッシュ２は、ワイヤー１の外周方向に膨張し、強制操作以外には鍵１ｋの移動を妨げることで、複数の鍵１ｋを区分できる。使用済の鍵１ｋは、ゴムブッシュ２に妨げられて、逆戻りを防止できる。又、複数の鍵１ｋが柔軟なワイヤー１に係留されているので、施錠又は開錠が容易である。【選択図】図１
2017042357.tif 000002
【特許請求の範囲】
【請求項１】
複数の鍵を所定の順序で配列するためのキーホルダーであって、
閉曲線を形成可能に始端部と終端部を着脱自在に連結できると共に、複数の前記鍵の順序を変えることなく、複数の前記鍵を移動自在に保持した屈曲自在な柔軟なワイヤーと、
前記ワイヤーの中間部に取り付けると共に、前記ワイヤーの外周方向に膨張して、強制操作以外には前記鍵の移動を妨げることで、複数の前記鍵を区分する円筒状のゴムブッシュと、を備えるキーホルダー。
【請求項２】
前記ワイヤーの始端部から前記ゴムブッシュの間で、前記ワイヤーの外周を覆う第１チューブと、
前記ワイヤーの終端部から前記ゴムブッシュの間で、前記ワイヤーの外周を覆う第２チューブと、を更に備え、
前記第１チューブと前記第２チューブは、それらの色相を異ならせている、請求項１記載のキーホルダー。
【請求項３】
前記鍵は、キーリングを介して、前記ワイヤーに保持されている、請求項１又は２記載のキーホルダー。
【請求項４】
前記キーリングは、前記鍵の順序を少なくとも表示した矩形のプレートを更に保持している、請求項３記載のキーホルダー。
【発明の詳細な説明】
【技術分野】
【０００１】
本発明は、キーホルダーに関する。特に、複数の鍵を紛失することなく携帯するために、複数の鍵を一つにまとめるキーホルダーであって、他の鍵に邪魔されることなく個別の鍵の操作が容易であると共に、未使用の鍵と使用後の鍵との区別が容易なキーホルダーの構造に関する。
【背景技術】
【０００２】
例えば、発電所又は変電所では、変圧器、遮断器、又は断路器などの発変電設備をその構内に多数設置している。これらの発変電設備は、許可された者以外の操作を防止するため、施錠していることが多い。このため、定期点検などでは、各発変電設備を開錠又は施錠するために、種類の異なる複数の鍵を持参して構内を巡回する必要があった。特に、二重母線式の発変電所では、発変電設備が多いので、種類の異なる多数の鍵を持参する必要があった。
【０００３】
従来は、一端部を開閉自在に連結し、一端部と反対側の他端部を回動自在に連結した円環状のキーホルダー（いわゆる、リングキャッチ）に、種類の異なる多数の鍵を取り付けて、各発変電設備を開錠又は施錠していた。
【０００４】
しかし、従来のリングキャッチ形のキーホルダーは、鍵を取り付けた状態では、対応する発変電設備の鍵穴の周辺部材が障害となって、鍵の操作が困難であった。このため、対応する鍵をキーホルダーから取り外すことになるが、他の鍵もキーホルダーから取り外す必要があった。
【０００５】
このような不具合を解消するため、キーホルダーに一列に保持された複数の鍵の中から、所望の鍵のみを取り外すことができる、キーホルダーが開示されている（例えば、特許文献１参照）。
【先行技術文献】
【特許文献】
【０００６】
【特許文献１】特開２００８−２２８７４８号公報
【発明の概要】
【発明が解決しようとする課題】
【０００７】
特許文献１によるキーホルダーは、キーを保持する複数のＣ字状のキーリングと、これらのキーリングの端部を保持する直方体状の本体と、キーリングの端部を抜け止めする保持部材と、を備え、保持部材を操作して、所望のキーリングを着脱できるとしている。
【０００８】
発変電所では、定期点検などで操作される発変電設備の順番を定めている。このため、操作される発変電設備の順番にしたがって、予め、種類の異なる複数の鍵をリングキャッチ形のキーホルダーに順序よく取り付けている。そして、このキーホルダーに取り付けた複数の鍵の順番にしたがって、各発変電設備を開錠又は施錠していた。
【０００９】
従来のリングキャッチ形のキーホルダーに変えて、特許文献１によるキーホルダーを使用すれば、個別の鍵の操作が容易になるが、鍵をキーホルダーに戻すときに、その順序を間違えてキーホルダーに取り付ける心配がある。このため、未使用の鍵と使用後の鍵との区別が困難になるという問題がある。又、鍵を紛失する心配もある。
【００１０】
一方、従来のリングキャッチ形のキーホルダーと同様な市販のキーリングを使用すれば、複数の鍵の順序が入れ替わる心配が無くなり、鍵を紛失する心配も無くなる。しかし、前述したように、キーリングが鍵穴の周辺部材の障害となって、鍵の操作が困難になるという二律背反の問題があった。
【００１１】
以上のことから、キーホルダーに保持された複数の鍵の順序が入れ替わることなく、未使用の鍵と使用後の鍵との区別が容易であり、かつ、個別の鍵の操作が容易なキーホルダーが求められていた。そして、以上のことが本発明の課題といってよい。
【００１２】
本発明は、このような課題に鑑みてなされたものであり、キーホルダーに保持された複数の鍵の順序が入れ替わることなく、未使用の鍵と使用後の鍵との区別が容易であり、かつ、個別の鍵の操作が容易なキーホルダーを提供することを目的とする。
【課題を解決するための手段】
【００１３】
本発明者は、複数の鍵を移動自在に保持した屈曲自在な柔軟なワイヤーと、ワイヤーの中間部に取り付けると共に、ワイヤーの外周方向に膨張して、強制操作以外には鍵の移動を妨げることで、複数の鍵を区分する円筒状のゴムブッシュでキーホルダーを構成することで、上記の課題を解決できると考え、これに基づいて、以下のような新たなキーホルダーを発明するに至った。
【００１４】
（１）本発明によるキーホルダーは、複数の鍵を所定の順序で配列するためのキーホルダーであって、閉曲線を形成可能に始端部と終端部を着脱自在に連結できると共に、複数の前記鍵の順序を変えることなく、複数の前記鍵を移動自在に保持した屈曲自在な柔軟なワイヤーと、前記ワイヤーの中間部に取り付けると共に、前記ワイヤーの外周方向に膨張して、強制操作以外には前記鍵の移動を妨げることで、複数の前記鍵を区分する円筒状のゴムブッシュと、を備える。
【００１５】
（２）本発明によるキーホルダーは、前記ワイヤーの始端部から前記ゴムブッシュの間で、前記ワイヤーの外周を覆う第１チューブと、前記ワイヤーの終端部から前記ゴムブッシュの間で、前記ワイヤーの外周を覆う第２チューブと、を更に備え、前記第１チューブと前記第２チューブは、それらの色相を異ならせていることが好ましい。
【００１６】
（３）前記鍵は、キーリングを介して、前記ワイヤーに保持されていることが好ましい。
【００１７】
（４）前記キーリングは、前記鍵の順序を少なくとも表示した矩形のプレートを更に保持していることが好ましい。
【発明の効果】
【００１８】
本発明によるキーホルダーは、屈曲自在な柔軟なワイヤーと、複数の鍵を区分する円筒状のゴムブッシュを備え、キーホルダーを構成予め定めた順序で複数の鍵をキーホルダーに配列しているので、操作される複数の発変電設備の順番間違いを防止できる。
【図面の簡単な説明】
【００１９】
【図１】本発明の一実施形態によるキーホルダーの構成を示す斜視図である。
【図２】前記実施形態によるキーホルダーの構成を示す斜視分解組立図である。
【発明を実施するための形態】
【００２０】
以下、図面を参照して本発明を実施するための形態を説明する。
［キーホルダーの構成］
最初に、本発明の一実施形態によるキーホルダーの構成を説明する。図１は、本発明の一実施形態によるキーホルダーの構成を示す斜視図である。図２は、前記実施形態によるキーホルダーの構成を示す斜視分解組立図である。
【００２１】
（全体構成）
図１又は図２を参照すると、本発明の一実施形態によるキーホルダー１０は、屈曲自在な柔軟なワイヤー１と円筒状のゴムブッシュ２を備えている。ワイヤー１は、閉曲線を形成可能に始端部と終端部を着脱自在に連結できる。又、ワイヤー１は、複数の鍵１ｋの順序を変えることなく、複数の鍵１ｋを移動自在に保持できる。
【００２２】
図１又は図２を参照すると、ゴムブッシュ２は、ワイヤー１の中間部に取り付けている。又、ゴムブッシュ２は、ワイヤー１の外周方向に膨張して、強制操作以外には鍵１ｋの移動を妨げることで、複数の鍵１ｋを区分できる。
【００２３】
図１又は図２を参照すると、キーホルダー１０は、第１チューブ３１と第２チューブ３２を更に備えている。第１チューブ３１は、ワイヤー１の始端部からゴムブッシュ２の間で、ワイヤー１の外周を覆っている。一方、第２チューブ３２は、ワイヤー１の終端部からゴムブッシュ２の間で、ワイヤー１の外周を覆っている。
【００２４】
図１又は図２を参照して、第１チューブ３１と第２チューブ３２は、それらの色相を異ならせている。第１チューブ３１を赤色に着色した透明チューブで構成し、第２チューブ３２を無色の透明チューブで構成し、第１チューブ３１と第２チューブ３２を識別できるようにしてもよい。
【００２５】
（ワイヤーの構成）
次に、実施形態によるワイヤー１の構成を説明する。図１又は図２を参照すると、ワイヤー１は、第１連結具１１を始端部に取り付けている。第１連結具１１は、連結環１１ａと圧着継手１１ｂで構成している。圧着継手１１ｂの底部に穿設した穴にワイヤー１の端末を挿入し、圧着継手１１ｂを圧着することで、第１連結具１１をワイヤー１の始端部に固定できる。
【００２６】
同様に、図１又は図２を参照すると、ワイヤー１は、第２連結具１２を終端部に取り付けている。第２連結具１２は、連結環１２ａと圧着継手１２ｂで構成している。圧着継手１２ｂの底部に穿設した穴にワイヤー１の端末を挿入し、圧着継手１２ｂを圧着することで、第２連結具１２をワイヤー１の終端部に固定できる。
【００２７】
図１又は図２を参照して、第１連結具１１と第２連結具１２は、同じものであるが、説明の便宜上、順位数と符号を変えて区別した。
【００２８】
図１又は図２を参照すると、第２連結具１２は、円環状の係留具１３を着脱自在に連結している。係留具１３は、金属線を二重に巻回している。係留具１３は、市販のキーリングを使用できる。
【００２９】
（ナス環の構成）
次に、実施形態によるナス環１４の構成を説明する。図１又は図２を参照すると、係留具１３は、金属製のナス環１４を着脱自在に連結している。ナス環１４は、Ｃ字状に形成したフック部１４ｆを一方の端部に設けている。又、ナス環１４は、連結環１４ｓを他方の端部に回転自在に連結している。連結環１４ｓには、係留具１３を係留できる。
【００３０】
又、図１又は図２を参照すると、ナス環１４は、フック部１４ｆの終端に向かって移動自在な閉止ピン１４ｐを備えている。更に、ナス環１４は、圧縮コイルばね（図示せず）を内部に備えている。この圧縮コイルばねは、閉止ピン１４ｐがフック部１４ｆの終端に向かう力を付勢している。
【００３１】
図１又は図２を参照して、図示しない圧縮コイルばねの付勢力に抗して、閉止ピン１４ｐを一方の方向に移動すると、フック部１４ｆのゲートを開いて、第１連結具１１の連結環１１ａをフック部１４ｆに連結できる。閉止ピン１４ｐを解放すると、フック部１４ｆのゲートを閉じて、ワイヤー１の始端部と終端部を連結できる。そして、ループが開いた状態からループが閉じた閉曲線を形成可能に、ワイヤー１の状態を変化できる。
【００３２】
［キーホルダーの作用］
次に、実施形態によるキーホルダー１０の操作方法を説明しながら、キーホルダー１０の構成を補足すると共に、キーホルダー１０の作用及び効果を説明する。
【００３３】
最初に、図１又は図２を参照して、所定の順序にしたがって、複数の鍵１ｋをワイヤー１の始端部から順次導入する。より具体的には、鍵１ｋ及びプレート１ｐを係留したキーリング１ｒをワイヤー１の始端部から順次導入する。又、キーリング１ｒと鍵１ｋは一体一に対応するとは限らない。キーリング１ｒには、二つ以上の鍵１ｋを係留してもよい。
【００３４】
次に、図１又は図２を参照して、第１連結具１１をナス環１４に連結して、ワイヤー１のループを閉じることで、複数の鍵１ｋを紛失することなく携帯できる。又、初期の状態では、複数の鍵１ｋは、ワイヤー１の始端部からゴムブッシュ２の間に配列しておくことが好ましい。つまり、複数の鍵１ｋを第１チューブ３１に保持しておくことが好ましい。
【００３５】
次に、図１又は図２を参照して、キーホルダー１０を持参して、構内を巡回する。対応する発変電設備に到着したら、ワイヤー１が係留した状態で、対応する鍵１ｋで開錠又は施錠する。この場合、ワイヤー１及び第１チューブ３１は、屈曲自在に柔軟であるので、対応する発変電設備の鍵穴の周辺部材が障害とならない。
【００３６】
次に、図１又は図２を参照して、対応する発変電設備の操作が終了後には、対応する鍵１ｋを第１チューブ３１側から第２チューブ３２側に移動させる。この場合、キーリング１ｒは、強制的にゴムブッシュ２を通過させられるで、キーリング１ｒは、ゴムブッシュ２に妨げられて、逆戻りを防止できる。実施形態によるキーホルダー１０は、ワイヤー１の中間部に円筒状のゴムブッシュ２を取り付けて、未使用の鍵１ｋと使用後の鍵１ｋとを区分けしている。
【００３７】
図１又は図２を参照して、次の発変電設備に到着したときには、第１チューブ３１に配列された複数の鍵１ｋの内、ゴムブッシュ２寄りの鍵１ｋが対応することを容易に認識できる。鍵１ｋに随伴したプレート１ｐの表示から対応する発変電設備が確実になる。実施形態によるキーホルダー１０は、第１チューブ３１と第２チューブ３２は、それらの色相を異ならせているので、未使用の鍵１ｋと使用後の鍵１ｋとの区別が容易である。
【００３８】
なお、図１又は図２を参照して、複数の鍵１ｋを第２チューブ３２側から第１チューブ３１側に順次移動させることもでき、逆の順序で複数の発変電設備を操作することも可能である。
【００３９】
本発明によるキーホルダーは、以下の効果が期待できる。
（１）予め定めた順序で複数の鍵をキーホルダーに配列しているので、操作される複数の発変電設備の順番間違いを防止できる。
（２）鍵が柔軟なワイヤーに係留されているので、施錠又は開錠が容易である。
（３）未使用の鍵と使用後の鍵とを視覚で明瞭に区別をできる。
【符号の説明】
【００４０】
１  ワイヤー
１ｋ  鍵
２  ゴムブッシュ
１０  キーホルダー
【図１】
2017042357.tif 000003
【図２】
2017042357.tif 000004